(57)【要約】【課題】  柄体２に対して、ブラシ毛６を植設したプレート５の揺動範囲を規制して、所定角度で力をいれての洗浄が確実に達成できるようにするすることにある。【解決手段】  下面にブラシ毛６を植設したプレート５の中心部に孔４を開設し、この孔４内に挿入された柄体２の先端部両側を孔４内に枢着し、且つ柄体２の先端部を孔４の上端開口縁に当接させることにより揺動限を規制することを特徴とし、プレート５の孔４の上端開口縁と当接する柄体２部分を軟質樹脂で成形し、また、柄体２の先端部を、中心部１５を軟質樹脂で成形すると共に中心部１５を挟持する両側板１４を硬質樹脂で成形し、側板１４表面とプレート５の孔４内面との何れか一方に係合軸７、他方に係合軸７に係合する係合孔１０を設ける。【選択図】        図１
2007037879.tif 000002
【特許請求の範囲】
【請求項１】
下面にブラシ毛（６）を植設したプレート（５）の中心部に孔（４）を開設し、該孔（４）内に挿入された柄体（２）の先端部両側を前記孔（４）内に枢着し、且つ前記柄体（２）の先端部を前記孔（４）の上端開口縁に当接させることにより揺動限を規制することを特徴とするブラシ。
【請求項２】
プレート（５）の孔（４）の上端開口縁と当接する柄体（２）部分を軟質樹脂で成形したことを特徴とする請求項１に記載のブラシ。
【請求項３】
柄体（２）の先端部を、中心部（１５）を軟質樹脂で成形すると共に前記中心部（１５）を挟持する両側板（１４）を硬質樹脂で成形し、該側板（１４）表面とプレート（５）の孔（４）内面との何れか一方に係合軸（７）、他方に該係合軸（７）に係合する係合孔（１０）を設けたことを特徴とする請求項１、２に記載のブラシ。
【発明の詳細な説明】
【技術分野】
【０００１】
本発明は、身体を洗うボディブラシ、或いは所定の器具を洗う清掃用のブラシに関する。
【背景技術】
【０００２】
ボディブラシ、清掃用のブラシの或る種のものは、例えば背中を洗い易くするため、或いは湾曲する浴槽の隅部を洗い易くするため、把持する柄体の先端にブラシ毛を植設したプレートを一体設した構造となっている。そして、更に洗い易くするために、柄体の軸芯に対してプレート面を傾斜させることも行われる。
【０００３】
しかしながら柄体とプレートとが一定の角度で傾斜した姿勢で固定されているとむしろ洗いにくくなることがある。上記したように背中や浴槽の隅部は湾曲しているため、ブラシ毛の集合体の先端面を確実に洗いたい箇所に平均して当接することが難しいからである。無理にこの洗浄操作を継続しているとブラシ毛が永久変形した癖がついてしまい、更に洗いにくくなる。そこでこの不都合を解消するための従来技術として、例えば、以下の文献の如きが提案されている。
【特許文献１】実開平７−１７１３２号公報
【特許文献２】特開２００４−１４７９７１号公報
【発明の開示】
【発明が解決しようとする課題】
【０００４】
これ等の従来技術では、柄体に対して、ブラシ毛を植設したプレートを前後方向或いは左右方向に揺動自在なものにして、洗う箇所の湾曲面に対応できるようになっている。処が、背中や浴槽を洗う場合にはブラシに或る程度の力が加わるため、プレートがみだりに揺動してしまうと滑ってしまい、確実な洗浄が達成できない不満があった。
【０００５】
よって本発明は、この従来の不満点を解消し要求に応えるべく発明されたブラシであって、柄体に対して、ブラシ毛を植設したプレートの揺動範囲を規制して、所定角度で力をいれての洗浄が確実に達成できるようにすることを目的とする。
【課題を解決するための手段】
【０００６】
上記課題を解決するため本発明のブラシは、下面にブラシ毛を植設したプレートの中心部に孔を開設し、この孔内に挿入された柄体の先端部両側を前記した孔内に枢着し、且つ柄体の先端部を孔の上端開口縁に当接させることにより揺動限を規制することを特徴とする構成である。
【０００７】
この場合、プレートの孔の上端開口縁と当接する柄体部分を軟質樹脂で成形したことを特徴とする。
【０００８】
また、柄体の先端部を、中心部を軟質樹脂で成形すると共に前記した中心部を挟持する両側板を硬質樹脂で成形し、この側板の表面とプレートの孔内面との何れか一方に係合軸、他方にこの係合軸に係合する係合孔を設けたことを特徴とする。
【発明の効果】
【０００９】
本発明のブラシは上述したような構成であるので、ブラシ毛を植設したプレートが揺動自在なものになり、洗う箇所の湾曲面にほぼぴったりとブラシ毛集合体の先端を平均して当接対応させることができ、しかも柄体の先端部を孔の上端開口縁に当接させることにより揺動限を規制することができるため、力を入れて擦っても滑ることはなく、確実な洗浄が達成できる。
【００１０】
また、プレートの孔の上端開口縁と当接する柄体部分は軟質樹脂で成形されているので、力を入れての洗浄の際に緩衝効果が機能してブラシ毛が弾力性をもって洗う箇所に当接し、より確実な洗浄が高まるものになり、しかも当接箇所でがたつくことがないので感触の良いものになる。
【００１１】
柄体の先端部両側と孔内との枢着は、柄体の先端部表面とプレートの孔内面との何れか一方に係合軸、他方に係合孔を設けてヒンジ連結で達成されるが、柄体の先端部を、中心部を軟質樹脂で成形すると共にこの中心部を挟持する両側板を硬質樹脂で成形すれば、上記したヒンジ組付けの際に、硬質樹脂製の両側板を両側より押して軟質樹脂製の中心部を弾性収縮させて係合軸と係合孔との係合を容易に達成させることができ、係合後は、中心部が弾性復帰するので係合軸と係合孔との係合が確実に維持される等、本発明は多くの優れた作用効果を奏する。
【発明を実施するための最良の形態】
【００１２】
本発明のブラシ１は、柄体２の先端にブラシ体３を揺動自在に枢着した構成である。ブラシ体３は、中心部に孔４を開設したプレート５の下面にブラシ毛６を植設した構造で、孔４の下部内面には対向して一対の係合軸７がピン状に突設されている。また、柄体２は、直線桿形状の把持部８の先端に湾曲桿形状の連結部９を一体連設した構造で、柄体２の先端である連結部９の先端部は前記したブラシ体３の孔４内に挿入され、連結部９先端部両側に、前記した係合軸７が係合する係合孔１０を開設し、柄体２とブラシ体３とはヒンジ組付きにより揺動自在に枢着することになる。
【００１３】
柄体２は、硬質合成樹脂製の補強体１１にエラストマーゴム等の軟質合成樹脂製のクッション体１２を射出成形した一体物である。補強体１１は、芯板１３の両側に側板１４を連設した幅方向の断面がＨ型の構造であるが、芯板１３は柄体２の直線桿形状の把持部８にのみ配され、湾曲桿形状の連結部９では側板１４のみが延出する。そして、連結部９に於ける側板１４の先端部分の外面に、前記した係合軸７が係合する係合孔１０を開設することになる。一方、クッション体１２は、両側板１４間に射出成形により埋設形成される。
【００１４】
上述した構成では、湾曲桿形状の連結部９がブラシ体３の孔４内に挿入されていて係合軸７と係合孔１０とにより係合してヒンジ組付きしているので、或る程度揺動すると柄体２の先端部である連結部９が孔４の上端開口縁に当接し、その揺動限が規制されることになる（図１（ａ）は矢視ａ方向の揺動限、（ｂ）は矢視ｂ方向の揺動限を示す）。この場合、孔４の上端開口縁に当接する柄体２の連結部９部分では軟質合成樹脂製のクッション体１２が露出しているので、緩衝効果が得られることになる。
【００１５】
更に、上述したように柄体２の連結部９では両側板１４間に軟質合成樹脂がクッション体１２の一部として埋設されて、両側板１４により挟持された中心部１５が形成されているので、ヒンジ組付けの際、両側板１４を両側より押して中心部１５を弾性収縮させて係合軸７と係合孔１０との係合を行い、係合後の中心部１５の弾性復帰によりこの係合が確実に維持される（図２参照）。
【００１６】
また、柄体２の把持部８では上下面で軟質合成樹脂製のクッション体１２が露出しているので、洗浄操作での把持の際に滑り止めの効果も発揮する。
【実施例１】
【００１７】
図示実施例では、ブラシ体３のプレート５は、中心部に孔４を開設した円形ドーナツ形状であるが、これに限定されるものではなく、四角形状などであっても良く、孔４は貫通孔でなくても良い。
【００１８】
更に、孔４の下部内面に対向して一対の係合孔１０を開設すると共に、連結部９先端部両側である側板１４の先端部分外面に、この係合孔１０に係合する係合軸７を突設する構造でヒンジ組付きを達成しても良い。
【図面の簡単な説明】
【００１９】
【図１】本発明のブラシの揺動限を示す断面図である。
【図２】ヒンジ部分の拡大断面図である。
【図３】斜視図である。
【符号の説明】
【００２０】
１    ブラシ
２    柄体
３    ブラシ体
４    孔
５    プレート
６    ブラシ毛
７    係合軸
８    把持部
９    連結部
１０  係合孔
１１  補強体
１２  クッション体
１３  芯板
１４  側板
１５  中心部
【図１】
2007037879.tif 000003
【図２】
2007037879.tif 000004
【図３】
2007037879.tif 000005